(57)【要約】【課題】  コストアップをまねくことなく明るく発光すると共に高い接着力を保つことができる時計用電着部品及びその製造方法を提供することにある。【解決手段】  電着部品２０は、枠状をなす電鋳部２２と、電鋳部２２内に設けられる発光部２４と、発光部２４の裏面に設けられるバックアップ部２６と、バックアップ部２６及び電鋳部２２の裏面に設けられる粘着層２８とからなる。バックアップ部２６は、表面張力抑制剤、好ましくはツヤ消し剤を添加したインクからなる。このバックアップ部２６は表面張力が抑えられており、発光部２４の裏面に沿って平坦に形成される。このため、バックアップ部２６の裏面上に設けられる粘着層２８も平坦になる。粘着層２８が平坦になると、電着部品２０を貼着する時計用表示板３０の平坦な表面に粘着層を密着させて固着することが可能となる。【選択図】  図２
2008111701.tif 000002
【特許請求の範囲】
【請求項１】
枠状をなす電鋳部と、
該電鋳部内に設けられ且つ発光材からなる発光部と、
該発光部の裏面に設けられて明るさを増すバックアップ部と、
該バックアップ部及び前記電鋳部の裏面に設けられる粘着層と、
からなり、
前記バックアップ部が表面張力抑制剤を添加したインクからなることを特徴とする時計用電着部品。
【請求項２】
前記表面張力抑制剤が、ツヤ消し剤であることを特徴とする請求項１記載の時計用電着部品。
【請求項３】
前記バックアップ部は、二酸化ケイ素、酸化カルシウム、酸化アルミニウム、酸化ジルコニウム、酸化チタンの何れか一つ又はそれらを組み合わせた微粒子からなるツヤ消し剤を明色のアクリル系インクに添加したインクからなることを特徴とする請求項１または２に記載の時計用電着部品。
【請求項４】
前記ツヤ消し剤は添加率２〜３％の割合で添加されていることを特徴とする請求項２または３に記載の時計用電着部品。
【請求項５】
導電性を有する基板上に枠状の電鋳部を剥離可能に形成する工程と、
前記電鋳部内に発光材からなる発光部を形成する工程と、
前記発光部を覆う表面張力抑制剤を添加した明色のインクを印刷することでバックアップ部を形成する工程と、
該バックアップ部及び前記電鋳部上に粘着層を形成する工程と、
からなることを特徴とする時計用電着部品の製造方法。
【請求項６】
前記表面張力抑制剤としてツヤ消し剤を明色のインクに添加したことを特徴とする請求項５記載の時計用電着部品の製造方法。
【請求項７】
前記バックアップ部は、二酸化ケイ素、酸化カルシウム、酸化アルミニウム、酸化ジルコニウム、酸化チタンの何れか一つ又はそれらを組み合わせた微粒子からなるツヤ消し剤を明色のアクリル系インクに添加したインクで印刷することにより形成されることを特徴とする請求項５または６に記載の時計用電着部品の製造方法。
【請求項８】
前記ツヤ消し剤は添加率２〜３％の割合で添加されていることを特徴とする請求項６または７に記載の時計用電着部品の製造方法。
【請求項９】
前記バックアップ部は、前記発光部の裏面に沿って７〜１０μｍの厚みに形成されることを特徴とする請求項５乃至８の一つに記載の時計用電着部品の製造方法。
【請求項１０】
前記粘着層は、前記バックアップ部と共に前記電鋳部及び発光部の裏面に沿って１０〜２０μｍの厚みに形成されることを特徴とする請求項９記載の時計用電着部品の製造方法。
【発明の詳細な説明】
【技術分野】
【０００１】
本発明は、時計用表示板等に貼着する時字、マーク、模様等を含む時計用電着部品とその製造方法に関するものであり、特に、蓄光することにより発光するものに関する。
【背景技術】
【０００２】
従来、時計用表示板に設けられている時字等の部品は、部品単体で形成して個々に取り付けられていたが、その後、薄型化、微細化等を目的として電着等にて時字等を時計用表示板に直接形成することが行なわれるようになった。近年、多種多用なデザインや構成に容易に対応できるように、図１１及び図１２に示すように、導電性を有する基板の上に形成した電着画像２を支持基材４に転写した状態で製品化し、その電着画像２に設けた固着用接着剤６を用いて時計用表示板８の表面に適宜貼着することが行なわれるに至っている。
【０００３】
この電着画像２は閉鎖線図形状をなすもので、その内側に夜光塗料、蛍光塗料等の塗料１０が塗布されている。この電着画像２と塗料１０は、支持基材４の一方の面に設けられた感圧接着層１２によって剥離可能な状態で支持基材４に接着されている。また、電着画像２と塗料１０の接着方向の面上に設けられた固着用接着剤６には、保管を容易にするため、離型紙１４が剥離可能な状態で貼着されている。使用時には、離型紙１４を剥がし、固着用接着剤６を時計用表示板８に押し付けるようにして接着する。その後、支持基材４を感圧接着層１２ごと電着画像２及び塗料１０から剥がすことで、電着画像２と塗料１０だけを時計用表示板８に接着することができる。このように支持基材４の上に電着画像２を形成すると、夜光塗料等の塗料１０を電着画像２に塗布する場合に、位置決めが容易になるという利点があった（例えば、特許文献１参照）。
【０００４】
上記のように、時字等を形成する電着画像２の内側に夜光塗料等を塗布した場合、夜光塗料等を塗布する面積が小さいため、視認性がやや悪く強く発光する塗料を使用することが好ましい。しかしながら、そのような塗料は高価であり、コストの上昇をまねくことになる。
【０００５】
そこで、図１３に示すように、夜光塗料等の塗料１０の裏面側に白色のインクによるバックアップ部１６を設けることを試みたところ、より明るく発光して見えることが確認できた。ところが、このバックアップ部１６を設けると、図１３に示すように、表面張力によってバックアップ部１６が球面状に突出する凸形状になってしまう。このため、バックアップ部１６を覆う固着用接着剤６もバックアップ部１６の形状に従って凸形状をなすことになり、時計用表示板８の表面に接触する面積が極めて小さくなり、剥がれ落ちてしまうという問題が生じた。
【特許文献１】特開平１０−２５５９１号公報
【発明の開示】
【発明が解決しようとする課題】
【０００６】
本発明が解決しようとする課題は、上記従来技術の問題点を解決し、コストアップをまねくことなく明るく発光すると共に高い接着力を保つことができる時計用電着部品及びその製造方法を提供することにある。
【課題を解決するための手段】
【０００７】
本発明の時計用電着部品は、枠状をなす電鋳部と、該電鋳部内に設けられ且つ発光材からなる発光部と、該発光部の裏面に設けられて明るさを増すバックアップ部と、該バック
アップ部及び前記電鋳部の裏面に設けられる粘着層と、からなり、前記バックアップ部が表面張力抑制剤を添加したインクからなるものである。表面張力抑制剤は、ツヤ消し剤であることが好ましい。この時計用電着部品における前記バックアップ部は、二酸化ケイ素、酸化カルシウム、酸化アルミニウム、酸化ジルコニウム、酸化チタンの何れか一つ又はそれらを組み合わせた微粒子からなるツヤ消し剤を明色のアクリル系インクに添加したインクからなる。また、前記ツヤ消し剤は添加率２〜３％の割合で添加されている。一方、この時計用電着部品の製造方法は、導電性を有する基板上に枠状の電鋳部を剥離可能に形成する工程と、前記電鋳部内に発光材からなる発光部を形成する工程と、前記発光部を覆う表面張力抑制剤を添加した明色のインクを印刷することでバックアップ部を形成する工程と、該バックアップ部及び前記電鋳部上に粘着層を形成する工程と、からなる。表面張力抑制剤として、ツヤ消し剤を明色のインクに添加することが好ましい。この時計用電着部品の製造方法における前記バックアップ部は、二酸化ケイ素、酸化カルシウム、酸化アルミニウム、酸化ジルコニウム、酸化チタンの何れか一つ又はそれらを組み合わせた微粒子からなるツヤ消し剤を明色のアクリル系インクに添加したインクで印刷することにより形成される。また、前記ツヤ消し剤は添加率２〜３％の割合で添加されている。このような時計用電着部品及びその製造方法において、前記バックアップ部は、前記発光部の裏面に沿って７〜１０μｍの厚みに形成されている。また、前記粘着層は、前記バックアップ部と共に前記電鋳部及び発光部の裏面に沿って１０〜２０μｍの厚みに形成されている。
【発明の効果】
【０００８】
本発明の時計用電着部品においては、発光部の裏面に明色のバックアップ部を設けているので、発光部が発光する光を前面方向へ反射してより明るくすることができる。また、このバックアップ部を形成するインクに表面張力抑制剤（好ましくはツヤ消し剤）を添加しているので、その表面張力が抑えられ、凸状に盛り上がることなく発光部の裏面に沿ってバックアップ部を形成することができる。これにより、バックアップ部を覆うように形成する粘着層をほぼ平坦に形成することができ、時計用表示板の表面に粘着層を広く密着させて強固に固着することができる。
なお、バックアップ部２６の表面張力が抑えられる理由として、インクの分子求心力が表面張力抑制剤により阻害されるためであると考えられる。表面張力抑制剤の中でも二酸化ケイ素、炭酸カルシウム等の微粒子からなるツヤ消し剤を使用することが好ましい。
【０００９】
また、本発明の時計用電着部品の製造方法においては、バックアップ部及び粘着層をほぼ平坦に形成することができるので、より複雑な平面形状や極めて小さい外形を有する電着部品であっても印刷により容易に外形に従って精度良くバックアップ部や粘着層を形成することができる。
【発明を実施するための最良の形態】
【００１０】
本発明の時計用電着部品は、枠状をなす電鋳部と、この電鋳部内に設けられる発光部と、この発光部の裏面に設けられるバックアップ部と、バックアップ部及び電鋳部の裏面に設けられる粘着層とからなる。この時計用電着部品におけるバックアップ部は、表面張力抑制剤、特にツヤ消し剤を添加したインクからなることが好ましい。このバックアップ部は表面張力が抑えられており、発光部の裏面に沿って平坦に形成される。このため、バックアップ部の裏面上に設けられる粘着層も平坦になる。このように粘着層が平坦になると、この電着部品を貼着する時計用表示板の平坦な表面に粘着層を密着させて固着することが可能となる。
【実施例】
【００１１】
図１は本発明の一実施例に係る時計用電着部品を示す断面図、図２は図１に示す時計用電着部品を時計用表示板に貼着した状態を示す断面図、図３は図１に示す時計用電着部品の平面図である。２０は電着部品であり、本実施例では平面形状が略矩形をなす時字を構
成する部品となっている。
【００１２】
２２は電鋳部であり、本実施例においては平面形状が略矩形をなす枠状に形成されている。この電鋳部２２の内側には、夜光塗料、蛍光塗料等の発光材からなる発光部２４が設けられている。
【００１３】
２６は白色等の明色を有するバックアップ部であり、発光部２４の裏面全域を覆うと共に電鋳部２２の裏面の一部にかかるように形成されている。また、２８はこの電着部品２０を時計用表示板３０の表面に固着するための粘着層であり、バックアップ部２６の裏面及び電鋳部２２の裏面を全て覆うように形成されている。
【００１４】
本実施例におけるバックアップ部２６は、明色のアクリル系インクに、二酸化ケイ素、酸化カルシウム、酸化アルミニウム、酸化ジルコニウム、酸化チタンの何れか一つか又はそれらを適宜組み合わせた微粒子からなるツヤ消し剤を添加したインクを用いて形成されている。これにより、バックアップ部２６の表面張力が抑えられ、発光部２４の裏面と電鋳部２２の裏面に沿ってほぼ平坦にバックアップ部２６が形成される。これにより、このバックアップ部２６を覆うように形成される粘着層２８もバックアップ部２６に沿って平坦に形成される。この結果、図２に示すように、時計用表示板３０の平坦な表面に粘着層２８のほぼ全域を密着させることが可能となり、強固に貼着することができる。
【００１５】
また、バックアップ部２６を形成すると、発光部２４が裏面方向に発光する光を前面方向に反射して、発光部２４をより明るくすることができる。また、図３に示すように、電鋳部２２と発光部２４との間にわずかな隙間Ｇが生じたとしても、バックアップ部２６によってその隙間の裏面側を覆っているため、バックアップ部２６が反射する光によって隙間を目立たなくすることが可能となり、さらに明るさを増すことが可能となる。
【００１６】
次に、図４乃至図１０を用いて上記構成からなる電着部品２０の製造方法を説明する。はじめに、図４に示すように、金属板等の導電性を有する基板３２の表面の電鋳部２２を形成する部分Ａを除く部分にフォトレジスト３４を形成する。このフォトレジスト３４は、液レジスト、ドライフィルムレジスト、レジストインク等を基板３２の表面全面に塗布又は貼着し、電鋳部２２を形成する部分Ａをマスクして露光、現像し、露光していない部分を除去することにより形成されている。
【００１７】
上記のようにフォトレジスト３４を形成した後、図５に示すように、電着法によって基板３２の表面にニッケル、金、銀、銅、鉄等又はそれらの合金等を析出させることで電鋳部２２を形成する。本実施例においては、硫酸ニッケル液（ワットニッケル浴）が入った浴内に浸して通電することによりフォトレジスト３４が形成されていない基板３２の表面にニッケルを３０〜５０μｍ析出することで電鋳部２２を形成している。その後、剥離液に浸漬してフォトレジスト３４を除去し、基板３２上に電鋳部２２だけが形成された状態にする。
【００１８】
次に、図６に示すように、基板３２上に形成された電鋳部２２に剥離可能な状態でバックシート３６を貼り付けて、図７に示すようにバックシート３６に電鋳部２２を転写する。このバックシート３６には、感圧接着剤等からなる接着層３８が設けられており、この接着層３８を電鋳部２２の前面となる面に接着して基板３２から剥離することで電鋳部２２をバックシート３６側に転写している。
【００１９】
上記のようにバックシート３６に電鋳部２２を転写した後、図８に示すように、電鋳部２２の内側に発光部２４を形成する。この発光部２４は夜光塗料、蛍光塗料等の発光材をスクリーン印刷等の印刷により形成されている。本実施例においては、この発光部２４も
、電鋳部２２とほぼ同じ３０〜５０μｍの厚みに印刷される。
【００２０】
その後、図９に示すように、発光部２４を覆うようにバックアップ部２６を形成する。このバックアップ部２６は白色等の光を強く反射する明色からなる。このバックアップ部２６は、前述したように、表面張力抑制剤、好ましくは、アクリル系インクに二酸化ケイ素、酸化カルシウム、酸化アルミニウム、酸化ジルコニウム、酸化チタンの何れか一つか又はそれらを組み合わせた微粒子からなるツヤ消し剤を添加したインクでスクリーン印刷等の印刷により形成されている。本実施例においては、ツヤ消し剤を白色のアクリル系インクに添加率２〜３％の割合で添加している。添加率が２％未満である場合や３％を超える場合は、所望の表面張力抑制効果が得られない。前述したように、ツヤ消し剤を添加したインクは、その表面張力が抑えられるため、印刷すると発光部２４及び電鋳部２２の裏面に沿ってほぼ平坦に形成される。これにより、このバックアップ部２６は一定の厚みで所定の位置に精度良く印刷形成される。また、本実施例におけるバックアップ部２６は、７〜１０μｍの厚みで形成されている。バックアップ部が７μｍより薄いと、所望の明るさが得られず、１０μｍより厚いと、次工程の粘着層が安定して形成されない。更に、このバックアップ部２６は、発光部２４を裏面側から支持する役割も果たしている。
【００２１】
このようにバックアップ部２６を形成した後、図１０に示すように、バックアップ部２６と電鋳部２２の裏面を覆うように、粘着層２８を形成する。この粘着層２８は、電着部品２０を時計用表示板３０等に固着するものであるため、一時的にバックシート３６に接着する接着層３８よりも強い接着力を有する粘着剤からなるものである。このような粘着剤を用いてスクリーン印刷等の印刷を施すことで、バックアップ部２６と電鋳部２２の裏面全面に粘着層２８が形成されている。また、粘着層２８は、バックアップ部２６がほぼ平坦に形成されているため、裏面方向に盛り上がることなく平坦に形成され、本実施例においては１０〜２０μｍの厚みで形成されている。粘着層が１０μｍより薄いと、粘着力が低下し、２０μｍより厚いと、安定した粘着力が得られない。
【００２２】
上記のように粘着層２８を形成した後、電着部品２０を保管、運搬する際に粘着層２８を保護して取り扱いを容易にするため、剥離可能な剥離シート４０を粘着層２８に貼り付ける。尚、電着部品２０を時計用表示板３０等に貼り付ける際に位置合わせ等を容易にするため、バックシート３６や剥離シート４０に透明な材質のものを使用することが好ましい。
【００２３】
上記のように、本実施例においてはバックアップ部２６の表面張力を抑えているので、印刷によりほぼ平坦に形成することができる。これにより、このバックアップ部２６をオーバーコートする粘着層２８も容易に印刷で平坦に形成することができる。また、バックアップ部２６や粘着層２８の厚みも精度良く一様に形成することができ、電着部品２０の総厚を常に一定に保って品質を高めることができる。
【産業上の利用可能性】
【００２４】
本発明の時計用電着部品及びその製造方法は、時計用表示板に固着する時字、マーク、模様等として用いられているが、この他、ケース、バンド等の外装部品に貼着する装飾や時計以外の部材における装飾部品等にも利用することが可能である。
【図面の簡単な説明】
【００２５】
【図１】本発明の一実施例に係る時計用電着部品を示す断面図である。
【図２】図１に示す時計用電着部品を時計用表示板に貼着した状態を示す断面図である。
【図３】図１に示す時計用電着部品の平面図である。
【図４】基板上にフォトレジストを形成した状態を示す要部断面図である。
【図５】図４に示す基板上に電鋳部を形成した状態を示す要部断面図である。
【図６】図５に示す電鋳部にバックシートを接着した状態を示す要部断面図である。
【図７】図６に示すバックシートに電鋳部を転写した状態を示す要部断面図である。
【図８】図７に示す電鋳部内に発光部を形成した状態を示す要部断面図である。
【図９】図８に示す発光部上にバックアップ部を形成した状態を示す要部断面図である。
【図１０】図９に示すバックアップ部上に粘着層を形成し、剥離シートを取り付けた状態を示す要部断面図である。
【図１１】従来の電着部品を示す要部断面図である。
【図１２】図１１に示す電着部品を時計用表示板に貼着する状態を示す要部断面図である。
【図１３】発光する部分の裏面側にバックアップ部を形成することを試みたときの状態を示す要部断面図である。
【符号の説明】
【００２６】
２    電着画像
４    支持基材
６    固着用接着剤
８    時計用表示板
１０  塗料
１２  感圧接着層
１４  離型紙
１６  バックアップ部
２０  電着部品
２２  電鋳部
２４  発光部
２６  バックアップ部
２８  粘着層
３０  時計用表示板
３２  基板
３４  フォトレジスト
３６  バックシート
３８  接着層
４０  剥離シート
【図１】
2008111701.tif 000003
【図２】
2008111701.tif 000004
【図３】
2008111701.tif 000005
【図４】
2008111701.tif 000006
【図５】
2008111701.tif 000007
【図６】
2008111701.tif 000008
【図７】
2008111701.tif 000009
【図８】
2008111701.tif 000010
【図９】
2008111701.tif 000011
【図１０】
2008111701.tif 000012
【図１１】
2008111701.tif 000013
【図１２】
2008111701.tif 000014
【図１３】
2008111701.tif 000015